(57)【要約】【課題】  スキャナにより読み取った画像データを一度メモリに蓄積し、蓄積された画像データをＰＣに出力するスキャナ画像データ転送装置及び方法において、画像データの転送効率を向上すること。【解決手段】  スキャナ１１と、このスキャナ１１から読み取られた画像データが記憶される画像メモリ１４と、この画像メモリ１４への前記画像データの書き込み及び読み出しを制御するメモリコントローラ１３と、このメモリコントローラ１３により前記画像メモリ１４から読み出された画像データが転送されるコンピュータ１６とを備え、  前記メモリコントローラ１３による画像データの読み出し転送は、前記スキャナ１１の水平同期信号がイネーブル期間においては固定長バーストモードにより行い、前記スキャナ１１の水平同期信号がディセーブル期間においては可変長バーストモードにより行う。【選択図】  図１
2006148764.tif 000002
【特許請求の範囲】
【請求項１】
スキャナと、このスキャナから読み取られた画像データが記憶される画像メモリと、この画像メモリへの前記画像データの書き込み及び読み出しを制御するメモリコントローラと、このメモリコントローラにより前記画像メモリから読み出された画像データが転送されるコンピュータとを備え、
前記メモリコントローラによる画像データの読み出し転送は、前記スキャナの水平同期信号がイネーブル期間においては固定長バーストモードにより行い、前記スキャナの水平同期信号がディセーブル期間においては可変長バーストモードにより行うことを特徴とするスキャナ画像データ転送装置。
【請求項２】
前記メモリコントローラによる画像データの読み出し転送は、前記スキャナの垂直同期信号がディセーブル期間においては可変長バーストモードにより行うことを特徴とする請求項１記載のスキャナ画像データ転送装置。
【請求項３】
前記可変長バーストモードによる読み出し転送において連続で転送可能なデータの個数は、前記画像メモリのカラムサイズ以下であり、このカラムサイズ境界を超えて連続転送する場合にはこのカラムサイズ境界で分割して転送することを特徴とする請求項１または請求項２記載のスキャナ画像データ転送装置。
【請求項４】
前記固定長バーストモードと可変長バーストモードとの切り換えは、前記スキャナの水平同期信号の変化点で行われることを特徴とする請求項１または請求項２記載のスキャナ画像データ転送装置。
【請求項５】
前記固定長バーストモードは、前記スキャナの水平同期信号の第１の状態で開始して所定の固定バースト数の転送の後に停止し、前記可変長バーストモードは、前記スキャナの水平同期信号の第２の状態で開始し、この水平同期信号の第２の状態の前記第１の状態への変化時点で停止することを特徴とする請求項１または請求項２記載のスキャナ画像データ転送装置。
【請求項６】
前記画像メモリからの前記固定長バーストモードおよび前記可変長バーストモードによる画像データの読み出し転送とともに、前記メモリコントローラは、前記画像メモリへの前記画像データの書き込みを可変長バーストモードにより行うことを特徴とする請求項５記載のスキャナ画像データ転送装置。
【請求項７】
スキャナから読み取られた画像データを画像メモリに記憶するステップと、この画像メモリから前記画像データを読み出し、コンピュータに転送するステップとを備え、
前記画像データの読み出し転送ステップは、前記スキャナの水平同期信号がイネーブル期間においては固定長バーストモードにより行い、前記スキャナの水平同期信号がディセーブル期間においては可変長バーストモードにより行うことを特徴とするスキャナ画像データ転送方法。
【請求項８】
前記画像データの読み出し転送ステップは、前記スキャナの垂直同期信号がディセーブル期間においては可変長バーストモードにより行うことを特徴とする請求項７記載のスキャナ画像データ転送方法。
【請求項９】
前記可変長バーストモードによる読み出し転送において連続で転送可能なデータの個数は、前記画像メモリのカラムサイズ以下であり、このカラムサイズ境界を超えて連続転送する場合にはこのカラムサイズ境界で分割して転送することを特徴とする請求項７または請求項８記載のスキャナ画像データ転送方法。
【請求項１０】
前記固定長バーストモードと可変長バーストモードとの切り換えは、前記スキャナの水平同期信号の変化点で行われることを特徴とする請求項７または請求項８記載のスキャナ画像データ転送方法。
【請求項１１】
前記固定長バーストモードは、前記スキャナの水平同期信号の第１の状態で開始して所定の固定バースト数の転送の後に停止し、前記可変長バーストモードは、前記スキャナの水平同期信号の第２の状態で開始し、この水平同期信号の第２の状態の前記第１の状態への変化時点で停止することを特徴とする請求項７または請求項８記載のスキャナ画像データ転送方法。
【請求項１２】
前記画像メモリからの前記固定長バーストモードおよび前記可変長バーストモードによる画像データの読み出し転送とともに、前記メモリコントローラは、前記画像メモリへの前記画像データの書き込みを可変長バーストモードにより行うことを特徴とする請求項１１記載のスキャナ画像データ転送方法。
【発明の詳細な説明】
【技術分野】
【０００１】
この発明はスキャナにより読み取った画像データを一度メモリに蓄積し、蓄積された画像データをＰＣに出力する画像データ転送装置および方法に関する。
【背景技術】
【０００２】
スキャナ画像データの書き込みは１ラインの水平同期信号（以下ＳＨＤＥＮ−０と表示する。）の期間、すなわち、パルス信号の低レベル（’Ｌ’）の期間において一定の間隔で一定長のバーストデータとして転送されるが、水平同期信号の休止期間、すなわち、パルス信号の高レベル（’Ｈ’）の期間では全く転送されない。すなわち、スキャナ画像データをスキャナに設けられたＳＤＲＡＭに書き込む転送が全く行われていない時（ＳＨＤＥＮ−０＝’Ｈ’）でも、スキャナ画像データを読み出す転送が常にバースト長固定で行われていた。
【発明の開示】
【発明が解決しようとする課題】
【０００３】
バースト長固定で行われるＡＣｔｉｖｅコマンド、Ｒｅａｄコマンド、ＰｒｅＣｈａｒｇｅコマンドの繰り返しによる無駄なシーケンスがスキャナ画像データを読み出す転送効率を低くしている。
【０００４】
したがって、本発明の目的は、スキャナにより読み取った画像データを一度メモリに蓄積し、蓄積された画像データをＰＣに出力する際の、画像データの転送効率を向上することにある。
【課題を解決するための手段】
【０００５】
スキャナ画像データをＳＤＲＡＭに書き込む転送が全く行われていない期間（ＳＨＤＥＮ−０＝’Ｈ’の期間）にバースト長を長くする。
【発明の効果】
【０００６】
ＡＣｔｉｖｅコマンド、Ｒｅａｄコマンド、ＰｒｅＣｈａｒｇｅコマンドの繰り返しによる無駄なシーケンスが省かれてＳＤＲＡＭメモリからＵＳＢ−Ｉ／Ｆへの画像転送効率が高くなる。
【発明を実施するための最良の形態】
【０００７】
以下本発明のスキャナ画像データ転送装置および方法の実施形態について、図面を参照して詳細に説明する。図１はスキャナ読み取り画像をＰＣへ転送する為のコントローラのブロック図である。
【０００８】
スキャナ１１から読み取られた画像データはスキャナの画像Ｉ／ＦとスキャナＩ／Ｆ１２の画像Ｉ／Ｆを通じてメモリコントローラ１３に転送され、メモリコントローラ１３は画像データをＳＤＲＡＭメモリ１４に書き込む。メモリコントローラ１３はＳＤＲＡＭメモリ１４に書き込まれた画像データを読み出してＵＳＢ−Ｉ／Ｆ１５に転送してパーソナルコンピュータ（以下ＰＣという。）１６へ転送する。スキャナ読み取り画像をＰＣ１６へ転送する際、メモリコントローラ１３はスキャナ１１からの画像データをＳＤＲＡＭメモリ１４に書き込む動作とＳＤＲＡＭメモリ１４からＰＣ１６へ転送する画像データを読み出す動作とを同時に行う。
【０００９】
すなわち、スキャナは画像読み取り時に動作を途中で停止できない為、画像データは一定のスピードでＳＤＲＡＭメモリ１４に書き込まれる必要があるが、ＰＣへ転送される画像データはＵＳＢ−Ｉ／Ｆ１５及びＰＣ１６の転送スピードが許容できる限り速い転送スピードでＳＤＲＡＭメモリ１４から読み取られることが望ましい。但し、遅く転送されたからといって画像データの欠落が発生する訳では無い。この時、読み出しスピードは書き込みスピードより速いとスキャナ１１からの読み出しデータが書き込まれていない領域を読み出すことになるのでメモリコントローラ１３は読み出しスピードが書き込みスピード追い越さない制御も行っている。
【００１０】
ここで、メモリコントローラ１３はスキャナ１１の画像データをＳＤＲＡＭメモリ１４に欠損無く書き込む為に、このＤＲＡＭメモリ１４への書き込み動作を、ＰＣ１６へ転送する為の読み出し動作よりも優先度を高く実行させている。
【００１１】
図２はスキャナ１１の画像データをメモリコントローラ１３へ転送する為のスキャナ１１の画像Ｉ／ＦとスキャナＩ／Ｆ１２の画像Ｉ／Ｆ間で使用される水平同期信号（ＳＨＤＥＮ−０）に同期した画像データ転送タイミングとメモリコントローラ１３がスキャナ画像データをＳＤＲＡＭメモリ１４に書き込み（ライト）／読み出し（リード）するタイミングを示したものである。
【００１２】
スキャナ１１は水平同期信号（ＳＨＤＥＮ−０）の’Ｌ’の期間に同期して画像データを画像Ｉ／Ｆ上に出力する。スキャナ１１の画像Ｉ／Ｆは画像データを受信して一定量毎（４バースト分の画像データ）にメモリコントローラ１３へ転送する。メモリコントローラ１３はＳＤＲＡＭメモリ１４のバースト転送（図２では４バースト）を使用してスキャナ画像データをＳＤＲＡＭメモリ１４に書き込む。
【００１３】
ＵＳＢ−Ｉ／Ｆ１５はＳＤＲＡＭメモリ１４に書き込まれた画像データを読み出して、ＰＣ１６内のＵＳＢ−Ｉ／Ｆへ転送する。ＵＳＢ−Ｉ／Ｆ１５はＰＣ１６内のＵＳＢ−Ｉ／Ｆからの要求に従い画像データの読み出しをメモリコントローラ１３に要求する。メモリコントローラ１３はＳＤＲＡＭメモリ１４から画像データを読み出してＵＳＢ−Ｉ／Ｆ１５に転送する。ＵＳＢ−Ｉ／Ｆ１５は読み出された画像データをＰＣ１６のＵＳＢ−Ｉ／Ｆに転送する。ＵＳＢ−Ｉ／Ｆ１５はＰＣ１６のＵＳＢ−Ｉ／Ｆからの要求が無くても、ＵＳＢ−Ｉ／Ｆ１５内のバッファに空きがあればメモリコントローラ１３に要求してＳＤＲＡＭメモリ１４から画像データを先読み出しする機能がある。
【００１４】
ＳＤＲＡＭメモリ１４へのデータの書き込み／読み出しは４バースト転送の場合、図２に示されるように、Ａｃｔｉｖｅコマンド→Ｗｒｉｔｅ／Ｒｅａｄコマンド→データの書き込み／読み出し（４個連続）→ＰｒｅＣｈａｒｇｅコマンドの手順で行われる。ＳＤＲＡＭメモリ１４へのデータの書き込み／読み出しはバースト長が長ければ長い程、転送効率が良くなる。スキャナ１１からＳＤＲＡＭメモリ１４への画像データの書き込みは、ＳＤＲＡＭメモリ１４からＵＳＢ−Ｉ／Ｆ１５への画像データの読み出しより優先的に行われる為、図２のPMWriteで示されるように、一定周期（１ライン単位）で書き込みが行われる様に制御される。そしてＵＳＢ−Ｉ／Ｆ１５へのＳＤＲＡＭメモリ１４からの画像データの読み出しは、書き込みより優先度が低い為、図２のPMReadで示されるように、スキャナ１１の画像データのＳＤＲＡＭメモリ１４への書き込みのすき間を利用して読み出しが行われる。ＳＤＲＡＭメモリ１４の書き込み／読み出し用基本クロックが十分に高い場合はすき間が広く、ＵＳＢ−Ｉ／Ｆ１５からの読み出し要求に十分に応答できるが、ＳＤＲＡＭメモリ１４の書き込み／読み出し用基本クロックが高くできない場合にはすき間が狭く読み出し要求に十分応答することができない。スキャナ画像データのＳＤＲＡＭメモリ１４への書き込みに際しては、画像データは１ラインの水平同期信号（ＳＨＤＥＮ−０）が’Ｌ’となる期間において一定の間隔で転送されるが、この実施例では（ＳＨＤＥＮ−０）が’Ｈ’の期間にも転送される。すなわち、この（ＳＨＤＥＮ−０）が’Ｈ’の期間においては、ＳＤＲＡＭメモリ１４への読み出しバースト長を４バーストより長くしている。これによって、ＡＣｔｉｖｅコマンド、Ｒｅａｄコマンド、ＰｒｅＣｈａｒｇｅコマンドの繰り返しによる無駄なシーケンスを省いてＳＤＲＡＭメモリ１４からＵＳＢ−Ｉ／Ｆ１５への画像データ読み出し転送効率を高くしている。
【００１５】
すなわち、（ＳＨＤＥＮ−０）の立下りでは、モードコマンドで４バースト転送にして、（ＳＨＤＥＮ−０）の立ち上がり後、スキャナ画像書き込み（１ラインの最後）の終了後にモードコマンドでページモードに変更する。ページモードに変更するとバースト長はＳＤＲＡＭのチップ仕様最大のページ長分に相当するｎ個のデータのバースト転送が可能になる。
【００１６】
図３はスキャナの画像データ読み取り範囲と同期信号の関係を示した図である。
【００１７】
垂直同期信号（ＳＶＤＥＮ−０）信号は’Ｌ’でイネーブル、’Ｈ’でディセーブルを示し、イネーブル期間は有効な画像データを出力することを示す。ディセーブル期間は有効な画像データを出力しないことを示す。
【００１８】
水平同期信号（ＳＨＤＥＮ−０）信号は’Ｌ’でイネーブル、’Ｈ’でディセーブルを示し、イネーブル期間は有効な画像データを出力することを示す。ディセーブル期間は有効な画像データを出力しないことを示す。
【００１９】
画像読み取り範囲は（ＳＶＤＥＮ−０）信号と（ＳＨＤＥＮ−０）信号が共にイネーブル期間に有効な画像データを出力することを示す。
【００２０】
（ＳＶＤＥＮ−０）信号と（ＳＨＤＥＮ−０）信号はスキャナ１１の画像Ｉ／Ｆを通じてスキャナＩ／Ｆ１５の画像Ｉ／Ｆに転送され、メモリコントローラ１５にも転送されて、ＳＤＲＡＭメモリ１４への書き込み／読み出し制御に使用される。
【００２１】
図４は（ＳＨＤＥＮ−０）信号が途切れなくイネーブル／ディセーブルを繰り返す信号を出力するスキャナ１１の画像データ読み取り同期信号とＳＤＲＡＭメモリ１４への画像データの書き込み／読み出しのモードの関係を示した図である。
【００２２】
（ＳＨＤＥＮ−０）信号が途切れなくイネーブル／ディセーブルを繰り返す信号を出力する画像Ｉ／Ｆを有している場合、メモリコントローラ１５は（ＳＶＤＥＮ−０）信号と（ＳＨＤＥＮ−０）信号が共に’Ｌ’である条件のときに、画像データ信号（ＳＤＡＴ［２３：０］−１）をＳＤＲＡＭメモリ１４へ書き込む。（ＳＤＣＬＫ［２３：０］−１）信号は（ＳＤＣＬＫ−１）の立ち上がりが有効な画像データであることを示している。
【００２３】
図４の４Ｂｕｒｓｔ／Ｐａｇｅ４は、バーストかＰａｇｅモードかを示すタイミングを示しており、このタイミングが示す様に、スキャナ１１の垂直同期信号（ＳＶＤＥＮ−０）がイネーブル期間においてはスキャナ１１の水平同期信号（ＳＨＤＥＮ−０）がイネーブル期間にＰＣ１６へ転送するデータを固定長バースト転送モードにて読み出しを行い、スキャナ１１の水平同期信号（ＳＨＤＥＮ−０）がディセーブル期間においてはＰＣ１６へ転送するデータを可変長バースト転送モードにて読み出しを行う。そして、スキャナ１１の垂直同期信号（ＳＶＤＥＮ−０）がディセーブル期間においてはＰＣ１６へ転送するデータを可変長バースト転送にてリードを行う。
【００２４】
図５は（ＳＨＤＥＮ−０）信号が（ＳＶＤＥＮ−０）信号のイネーブル／ディセーブルに同期して動作を変更してイネーブル／ディセーブルを出力する信号を有しているスキャナの画像データ読み取り同期信号とＳＤＲＡＭメモリへの画像データの書き込み／読み出しのモードの関係を示した図である。
【００２５】
（ＳＨＤＥＮ−０信号）が（ＳＶＤＥＮ−０）信号のイネーブル／ディセーブルに同期して動作を変更してイネーブル／ディセーブルを出力する信号を有している場合、メモリコントローラ１３は（ＳＨＤＥＮ−０）信号が’Ｌ’信号である条件のとき、画像データ信号（ＳＤＡＴ［２３：０］−０）をＳＤＲＡＭメモリ１４へ書き込む。ＳＤＣＬＫ［２３：０］−１）信号は（ＳＤＣＬＫ−１）の立ち上がりが有効な画像データであることを示している。４バーストかＰａｇｅモードかを示す４Ｂｕｒｓｔ／Ｐａｇｅのタイミングで示す様に、スキャナ１１の水平同期信号（ＳＨＤＥＮ−０）がイネーブル期間においてはＰＣ１６へ転送するデータを固定長バースト転送にてリードを行い、スキャナ１１の水平同期信号（ＳＨＤＥＮ−０）がディセーブル期間においてはＰＣ１６へ転送するデータを可変長バースト転送にてリードを行う。そして、スキャナ１１の垂直同期信号（ＳＶＤＥＮ−０）がディセーブル期間においてはＰＣ１６へ転送するデータを可変長バースト転送にてリードを行う。
【００２６】
図６は図２のタイミングにおいて（ＳＨＤＥＮ−０）信号が’Ｈ’の期間に可変長バースト転送がカラムサイズの境界を越えた場合の転送タイミングを示した図である。
【００２７】
ＳＤＲＡＭメモリ１４のＰａｇｅモードにおける可変長バースト転送は最大でカラムサイズを超えることができない。（但し、同一カラムのデータの最初から最後までを繰り返し転送する場合を除く）これはＳＤＲＡＭメモリデバイスの機能制限からくる仕様である。カラムサイズの境界を超えて転送する場合には一度バースト転送を止めて、次ぎのカラムデータから引き続き可変長バーストすることになる。
【００２８】
図６ではｎ−１カラムのデータを（ＳＨＤＥＮ−０）信号が’Ｈ’になってから可変長バーストを開始、Ａｃｔｉｖｅコマンドによりｎ−１カラムデータへのアクセスを有効にして、Ｒｅａｄコマンドの次からｎ−１カラムのデータをバーストリードしている。ｎ−１カラムデータをｎ個バーストリードした時点でｎ−１カラムデータとｎカラムの境界に達してしまった為、Ｓｔｏｐコマンドにより可変長バーストリードを停止、ＰｒｅＣｈａｒｇｅコマンドによりｎ−１カラムデータへのアクセスを終了する。引き続き、次のＡｃｔｉｖｅコマンドでｎカラムデータへのアクセスを有効にしてＲｅａｄコマンドの次からｎカラムのデータをバーストリードしている。ｎカラムデータを４個リードした時点で（ＳＨＤＥＮ−０）信号の立ち下がりにより生成されたＳｔｏｐコマンドによりｎカラムデータの可変長リードが停止する。続いてＰｒｅＣｈａｒｇｅコマンドによりｎカラムデータへのアクセスを終了する。次にＭｏｄｅコマンドにより転送モードを４バーストモードに変更して固定長バーストモードに移行する。
【００２９】
図７は固定長バースト転送と可変長バースト転送の切り換えをＳＤＲＡＭメモリのＰａｇｅモードのまま実現するタイミングを示した図である。
【００３０】
ＰｒｅＣｈａｒｇｅコマンドはバースト転送を停止させプリチャージシーケンスをＳＤＲＡＭメモリ１４内で動作させることができる為、（ＳＨＤＥＮ−０）信号が’Ｌ’である場合に開始したバーストリード転送は４バーストにてＰｒｅＣｈａｒｇｅコマンドをＳＤＲＡＭメモリ１４に送ってバーストを停止させ４バースト転送の固定長バースト転送を実現させる。（ＳＨＤＥＮ−０）信号が’Ｈ’である場合に開始したバーストリード転送は（ＳＨＤＥＮ−０）信号の立ち下がりにてＰｒｅＣｈａｒｇｅコマンドをＳＤＲＡＭメモリ１４に送ってバースト転送を停止させることにより可変長バーストを実現させる。
【００３１】
スキャナ画像データのＳＤＲＡＭメモリ１４への書き込みは転送モードがＰａｇｅモードになっている為、常に４個のバーストライト動作が行われる様にＰｒｅＣｈａｒｇｅコマンドをＳＤＲＡＭメモリ１４に送って４バーストライトの固定長バースト転送で行われる様に制御する。
【００３２】
図８は固定長バーストリード転送と可変長バーストリード転送の切り換えをＳＤＲＡＭのＰａｇｅモードのまま実現する方法に可変長バーストライトを組み合わせたタイミングを示した図である。
【００３３】
図７においてはスキャナ画像データのＳＤＲＡＭメモリ１４に対する書き込みは４バーストの固定長バーストライト転送で実現していたが図８においてはスキャナ画像データのＳＤＲＡＭメモリ１４への書き込みを可変長バーストライト転送で実現するタイミングを示している。図７の様に４バースト固定長のバーストライトで転送を行うと４バーストライトが連続で行われるタイミングが発生する。この時、ＡｃｔｉｖｅコマンドとＷｒｉｔｅコマンド、ＰｒｅＣｈａｒｇｅコマンドは無駄なシーケンスになってしまう。可変長バーストにより８バースト転送を行うことにより無駄なＡｃｔｉｖｅコマンドとＷｒｉｔｅコマンド、ＰｒｅＣｈａｒｇｅコマンドシーケンスを省くことにより、スキャナ画像データをＳＤＲＡＭメモリ１４へ書き込む期間（ＳＨＤＥＮ−０＝’Ｌ’）においてもＳＤＲＡＭへの転送効率を上げることができる。ＳＤＲＡＭメモリ１４への転送効率が上がるとＵＳＢ−Ｉ／Ｆ１５からのＳＤＲＡＭメモリ１４への画像データリード転送が多く行われることになり、ＰＣ１６への画像データ転送時間を短縮することができる。
【図面の簡単な説明】
【００３４】
【図１】図１はスキャナ読み取り画像をＰＣへ転送する為のコントローラのブロック図である。
【図２】図２はスキャナの画像データをメモリコントローラへ転送する為のスキャナの画像Ｉ／ＦとスキャナＩ／Ｆの画像Ｉ／Ｆ間で使用される水平同期信号（ＳＨＤＥＮ−０）に同期した画像データ転送タイミングとメモリコントローラがスキャナ画像データをＳＤＲＡＭメモリに書き込み／読み出しするタイミングを示した図である。
【図３】図３はスキャナの画像データ読み取り範囲と同期信号とＳＤＲＡＭメモリへの画像データの書き込み／読み出しのモードの関係を示した図である。
【図４】図４は（ＳＨＤＥＮ−０）信号が途切れなくイネーブル／ディセーブルを繰り返す信号を出力するスキャナの画像データ読み取り同期信号とＳＤＲＡＭメモリへの画像データの書き込み／読み出しのモードの関係を示した図である。
【図５】図５は（ＳＨＤＥＮ−０）信号がＳＶＤＥＮ−０信号イネーブル／ディセーブルに同期して動作を変更してイネーブル／ディセーブルを出力する信号を有しているスキャナの画像データ読み取り同期信号とＳＤＲＡＭメモリへの画像データの書き込み／読み出しのモードの関係を示した図である。
【図６】図６は図２のタイミングにおいてＳＨＤＥＮ−０信号が’Ｈ’の期間に可変長バースト転送がカラムサイズ境界を越えた場合の転送タイミングを示した図である。
【図７】図７は固定長バースト転送と可変長バースト転送の切り換えをＳＤＲＡＭのＰａｇｅモードのまま実現するタイミングを示した図である。
【図８】図８は固定長バーストリード転送と可変長バーストリード転送の切り換えをＳＤＲＡＭのＰａｇｅモードのまま実現する方法に可変長バーストライトを組み合わせたタイミングを示した図である。
【符号の説明】
【００３５】
１１…スキャナ、１２…スキャナＩ／Ｆ、１３…メモリコントローラ、１４…ＳＤＲＡＭメモリ、ＵＳＢ−Ｉ／Ｆ…１５、パーソナルコンピュータ（ＰＣ）…１６
【図１】
2006148764.tif 000003
【図２】
2006148764.tif 000004
【図３】
2006148764.tif 000005
【図４】
2006148764.tif 000006
【図５】
2006148764.tif 000007
【図６】
2006148764.tif 000008
【図７】
2006148764.tif 000009
【図８】
2006148764.tif 000010